(57)【要約】【課題】発光表示の品位を損なわない加飾部を備える指針計器を提供する。【解決手段】指針計器１は、表示意匠２１、２２が形成された文字盤２と、文字盤２の前面に沿って回動する指針４と、表示意匠２１、２２の外枠を形成する加飾部３と、加飾部３の背後側に配設され加飾部３を透過照明する光源７とを備える。加飾部３は、加飾部３を表示意匠２１、２２の外周に固定させる固定部３０ａと、固定部３０ａからの光をその前面側で遮るように配設された不透光部３２とを備える。これにより、加飾部の発光表示の品位が損なわれることを防止できる【選択図】  図３
2006226729.tif 000002
【特許請求の範囲】
【請求項１】
表示意匠が形成された文字盤と、
前記文字盤の前面に沿って回動する指針と、
前記表示意匠の外枠を形成する加飾部と、
前記加飾部の背後側に配設され、該加飾部を透過照明する光源とを備え、
前記加飾部は、該加飾部を前記表示意匠の外周に固定させる固定部と、該固定部からの光をその前面側で遮るように配設された不透光部とを備えることを特徴とする指針計器。
【請求項２】
前記固定部は、前記文字盤と該文字盤の端部を覆う意匠板との少なくとも一方に固定されることを特徴とする請求項１に記載の指針計器。
【請求項３】
前記固定部は、掛止手段とねじ締め手段と溶着のいずれかにより、前記表示意匠の前記外周に固定されることことを特徴とする請求項１または請求項２に記載の指針計器。
【請求項４】
前記光源は、前記文字盤の背後に配設され、
前記文字盤は、前記光源が発する光を前記加飾部へ透過させる透光部を備えることを特徴とする請求項１ないし請求項３のいずれか一項に記載の指針計器。
【請求項５】
前記加飾部は、略リング形状を有することを特徴とする請求項１ないし請求項４のいずれか一項に記載の指針計器。
【請求項６】
前記不透光部は、不透光層であることを特徴とする請求項１ないし請求項５のいずれか一項に記載の指針計器。
【請求項７】
前記固定部は、前記不透光部の一部として形成されることを特徴とする請求項１ないし請求項５のいずれか一項に記載の指針計器。
【請求項８】
前記加飾部は、表面に加飾表示層と該加飾表示層の裏面側に前記不透光部を備え、
前記加飾表示層は、透光性であってかつ前記表示意匠の背景部とは異なる表示色を有し、
前記加飾部は、前記光源を点灯させることにより前記不透光部の領域を除いた形状を表示し、
前記加飾部の前記加飾表示層は、前記光源を消灯させることにより前記表示意匠の背景部の色と異なる表示色で表示されることを特徴とする請求項１ないし請求項７のいずれか一項に記載の指針計器。
【請求項９】
前記加飾表示層は、ハーフミラー層であることを特徴とする請求項８に記載の指針計器。
【発明の詳細な説明】
【技術分野】
【０００１】
本発明は、加飾部を有する指針計器に関するものである。
【背景技術】
【０００２】
近年、指針計器では、見映えのある斬新な表示をするため、様々な方法が提案され、その一つとして、文字盤の表示意匠の外枠を形成すると共に発光表示する加飾部を有する指針計器が知られている。
【０００３】
例えば、複数の光源からの光を加飾部である導光体に入射させて、この導光体をその長手方向（外枠の方向）に均一に発光させる指針計器が開示されている（特許文献１を参照）。
【０００４】
具体的に、この指針計器は、表示意匠を有する文字盤と、文字盤の前面に沿って回動する指針と、文字盤の表面に配置された加飾部である導光体と、文字盤の背後に配置された光源等を備える。
【特許文献１】特開２００２−２２８４９３号公報
【発明の開示】
【発明が解決しようとする課題】
【０００５】
特許文献１では、導光体の固定方法は、開示されていないが、一般的には、導光体の固定部を、引っ掛けやねじ締めや超音波溶着等で文字盤に固定する。しかし、これらの固定により、光源からの光は、この固定部を透過することが妨げられ、影が発生する。この影は、導光体による発光表示の品位を損なう恐れがある。
【０００６】
本発明は、上記点に鑑みてなされたものであり、発光表示の品位を損なわない加飾部を備える指針計器を提供することを目的とする。
【課題を解決するための手段】
【０００７】
本発明は上記目的を達成するため、以下の技術的手段を採用する。
【０００８】
請求項１に記載の指針計器は、表示意匠が形成された文字盤と、文字盤の前面に沿って回動する指針と、表示意匠の外枠を形成する加飾部と、加飾部の背後側に配設され且つ加飾部を透過照明する光源とを備え、加飾部が、加飾部を表示意匠の外周に固定させる固定部と、固定部からの光をその前面側で遮るように配設された不透光部とを備える構成とする。
【０００９】
この構成では、加飾部において、加飾部を表示意匠の外周に固定させる固定部からの光をその前面側で遮るように、不透光部を配設する。一般に、この固定部を表示意匠の外周に固定することにより、光源からの光が固定部を透過照明するのを妨げるため、これにより、影が発生する恐れがある。しかし、本構成では、この部分へ光が導かれないようにして影の発生をなくすため、加飾部３による発光表示の品位が、この影により損なわれることを防止できる。
【００１０】
請求項２に記載の指針計器は、固定部が文字盤と文字盤の端部を覆う意匠板との少なくとも一方に固定される構成とする。
【００１１】
この構成では、固定部を、文字盤と文字盤の端部を覆う意匠板との少なくとも一方に固定する。この構成においても、上述の効果を得ることができる。
【００１２】
請求項３に記載の指針計器は、固定部が掛止手段とねじ締め手段と溶着のいずれかにより表示意匠の外周に固定される構成とする。
【００１３】
この構成では、固定部を、掛止手段とねじ締め手段と溶着のいずれかにより表示意匠の外周に固定する。この構成においても、上述の効果を得ることができる。
【００１４】
請求項４に記載の指針計器は、光源が文字盤の背後に配設され、文字盤が光源が発する光を加飾部へ透過させる透光部を備える構成とする。
【００１５】
この構成では、文字盤が光源が発する光を加飾部へ透過させる透光部を備えるため、簡易な構成で、上述の効果を得ることができる。
【００１６】
請求項５に記載の指針計器は、加飾部が略リング形状を有する構成とする。
【００１７】
この構成では、加飾部が略リング形状を有し、この構成においても、上述の効果を得ることができる。
【００１８】
請求項６に記載の指針計器は、不透光部が不透光層である構成とする。
【００１９】
この構成では、不透光部が不透光層であるため、簡易な構成で、上述の効果を得ることができる。
【００２０】
請求項７に記載の指針計器は、固定部が不透光部の一部として形成される構成とする。
【００２１】
この構成では、固定部が不透光部の一部として形成されるため、簡易な構成で、上述の効果を得ることができる。
【００２２】
請求項８に記載の指針計器は、加飾部が表面に加飾表示層と加飾表示層の裏面側に不透光部を備え、加飾表示層が透光性であってかつ表示意匠の背景部とは異なる表示色を有し、加飾部が光源を点灯させることにより不透光部の領域を除いた形状を表示し、加飾部の加飾表示層が光源を消灯させることにより表示意匠の背景部の色と異なる表示色で表示される構成とする。
【００２３】
この構成では、加飾部の背後側の光源を消灯した際には、その加飾部の加飾表示層が表示意匠の背景部とは異なる表示色により表示される。このため、光源の消灯時には、不透光部の領域が目視されることが無くなり、加飾部としての加飾機能が損なわれない。これにより、光源の点灯時における上述の効果に加え、光源の消灯時にも、加飾部としての加飾機能が損なわれることがなくこれを発揮できる。
【００２４】
請求項９に記載の指針計器は、加飾表示層がハーフミラー層である構成とする。
【００２５】
この構成では、加飾表示層がハーフミラー層であるため、加飾部は、光源の消灯時に、銀色（メタリック調）で表示される。これにより、光源の点灯時における上述の効果に加え、光源の消灯時にも、加飾部としての加飾機能を向上できる。
【発明を実施するための最良の形態】
【００２６】
以下、本発明による指針計器を、自動車に搭載されるコンビネーションメータ１に適用した場合を例に図面に基づいて説明する。
【００２７】
（構成）
図１は、本発明の一実施形態による指針計器であるコンビネーションメータ１の正面図である。図１の矢印が示す上下方向が自動車の上下方向と同じである。
【００２８】
図２は、図１中のＩＩ−ＩＩ断面図である。
【００２９】
図３は、図２示す加飾部３とその近傍の拡大断面図である。
【００３０】
図４は、図１示す加飾部３の裏面図である。
【００３１】
図５は、本発明の一実施形態によるコンビネーションメータ１の電気回路構成を説明する回路構成図である。
【００３２】
指針計器であるコンビネーションメータ１は、自動車の運転席前方に配置されて当該自動車に関する各種情報を表示する。本実施形態によるコンビネーションメータ１は、図１に示すように、走行速度を表示する速度計を構成する。
【００３３】
コンビネーションメータ１は、情報を表示して運転者に視認させるための文字盤２を備え、文字盤２には、表示意匠である文字（数字を含む）２１と目盛２２が形成される。
【００３４】
文字２１と目盛２２は、図２に示すように、透光性を有する材料、例えば透光性を有するポリカーボネート樹脂等の文字盤母材２０の裏面（図中の矢印に示す右側の面）に、文字２１と目盛２２の背景部である背景層２３の開口部として設けられる。背景層２３は、不透光性の部材（または、つや消しの透光性が低い部材）を、文字盤母材２０の裏面（図中の矢印に示す右側の面）に印刷あるいはホットスタンプ等を施すことにより形成される。
【００３５】
尚、文字２１と目盛２２とを、背景層２３の開口部としないで、さらに、その開口部に透光性の部材を印刷あるいはホットスタンプ等を施すことにより形成してもよい。また、背景層２３は、文字盤母材３０表面（図中の矢印に示す左側の面）に設けてもよい。
【００３６】
文字盤２の表面には、文字２１と目盛２２との外周に、これらの外枠を形成する加飾部３が設けられる。本発明の特徴である加飾部３は、図３に示すように、不透光層３２と加飾表示層である透光層３１とが、この順序で、加飾母材３０の表面（図３の矢印が示す上側の面）に蒸着やめっき処理等を施すことにより形成される。
【００３７】
具体的には、不透光層３２を、加飾母材３０の表面にクロム（Ｃｒ）等をマスキング等により蒸着またはめっき処理等を施すことにより、光不透過な状態に形成する。この不透光層３２上に、透光層３１を、アルミニウム（Ａｌ）等を蒸着またはめっき処理等を施すことにより、光透過な状態に形成する。透光層３１は、いわゆるマジックミラー（ハーフミラー層）である。
【００３８】
加飾母材３０は、透光性を有するアクリルニトリル・ブタジエン・スチレン（ＡＢＳ）樹脂等から表面側（図３の矢印が示す上側）へ突出する形状でリング状に形成される。加飾部３の固定部である固定面３０ａが、引っ掛け、ねじ締め、超音波溶着等で、文字盤２に対して固定され、これによって、加飾部３は、文字盤２に対して固定される。図３と図４では、引っ掛けにより固定される場合を示す。
【００３９】
引っ掛け爪３３は、加飾母材３０の固定面３０ａから延出するように形成され、引っ掛け爪３３を文字盤２に設けられた引っ掛け穴２５に引っ掛けることによって、加飾部３の固定面３０ａが文字盤２に固定される。引っ掛け爪３３は、図４に示すように、５箇所に設けられ、引っ掛け穴２５は、文字盤２の引っ掛け爪３３に対応する位置に、５箇所に設けられる。掛止手段は、引っ掛け爪３３と引っ掛け穴２５から構成される。
【００４０】
尚、固定面３０ａは、図４において、引っ掛け爪３３と同じ領域に、引っ掛け爪の個数分（上述の場合、５箇所）だけ設けられるものである。
【００４１】
また、引っ掛け爪３３（固定面３０ａ）と引っ掛け穴２５は、それぞれ、５箇所に限る必要はなく、３箇所でも６箇所以上であってもよい。
【００４２】
尚、不透光層３２は、引っ掛け爪３３（固定面３０ａ）からの光をその前面側（図３の矢印が示す上側）で遮るように配設（形成）される。また、不透光層３２は、図１に示すように、加飾部３を文字盤２に組み付けた際に、文字２１の「０、６０、１２０、１８０、０と１８０の中間点」に対応する位置に配設されるように、形成される。
【００４３】
さらに、ダミー不透光層３２ａを、加飾部３が文字盤２に組み付けられた際に、文字２１の「２０、４０、８０、１００、１４０、１６０」に対応する位置に配設されるように、加飾母材３０上に形成する。ダミー不透光層３２ａは、不透光層３２と同一の材質で且つこれより小さく加飾母材３０上に形成されるが、引っ掛け爪３３（固定面３０ａ）からの光をその前面側で遮るものではない。但し、ダミー不透光層３２ａは、不透光層３２ａと共に目盛２２の機能を有するものである。
【００４４】
文字盤２には、後述するムーブメント５のシャフト５１を挿通させるための貫通孔２６が設けられ、文字盤２の背後（図２の矢印が示す下側）には、リフレクタ８、ムーブメント５、発光ダイオード６、光源である発光ダイオード７、およびプリント基板９が配設される。プリント基板９は、コンビネーションメータ１の電気回路部を形成するものであり、ムーブメント５と発光ダイオード６、７は、プリント基板９に実装される。
【００４５】
ムーブメント５は、例えば交差コイル式アクチュエータ、あるいはステッピングモータ等から構成され、外部からの電気信号（本実施形態においては車速信号）に対応した角度だけシャフト５１を回動させるものである。シャフト５１は、文字盤２の貫通孔２６を通して前面側（図中の矢印が示す左側）へ延出し、その先端には指針４が固定される。
【００４６】
リフレクタ８は、発光ダイオード６からの例えば白色光を指針４へ導くものであり、発光ダイオード７からの例えば白色光を文字盤２と加飾部３へ導くものである。指針４は、リフレクタ８に導かれた発光ダイオード６からの白色光により、例えば赤色で発光表示されるように形成される。なお、指針４は、発光ダイオード６が消灯している場合に、例えば赤色で表示されるように形成される。
【００４７】
指針４には、遮光キャップ４１が装着される。遮光キャップ４１は、例えば遮光性を有する樹脂あるいは金属等から形成され、発光ダイオード６の光が、運転者の目に直接入射することを防止するものである。
【００４８】
光源である発光ダイオード７からの例えば白色光により、加飾部３は、後述する如く発光表示されるように構成され、文字２１と目盛２２は、例えば白色で発光表示されるように構成される。なお、文字盤２は、発光ダイオード７が消灯されている時に、太陽光等の白色光によって、文字２１と目盛２２が白色表示され、背景層２３が例えば青色表示されるように構成される。
【００４９】
発光ダイオード７が発する白色光を加飾部３へ透過させる透光部である開口部２４を、図２と図３と示すように、文字盤２に設ける。具体的に、開口部２４は、透光性を有する文字盤母材２０の裏面（図３中の矢印に示す下側の面）に、背景部である背景層２３の開口部として設けられる。なお、開口部２４を、文字盤母材３０表面（図３中の矢印が示す上側の面）に設けてもよい。さらに、開口部２４（文字盤母材３０上）に透光層（または光拡散層）を形成してもよい。
【００５０】
また、開口部２４の代わりに、貫通孔を形成し、文字盤２が貫通孔により分離しないように、支持部を貫通孔の一部の位置に形成してもよい。この場合は、不透光層３２を、この支持部からの光をその前面側で遮るように追加して配設する。
【００５１】
なお、透光層３１は、発光ダイオード７からの白色光を受けて、例えば橙色で発光表示されるように、構成される。透光層３１を橙色で発光表示させるには、例えば、文字盤母材３０を、透光性の橙色着色材から形成する。または、開口部２４（文字盤母材３０上）に図示しない透光性の橙色着色層を形成してもよい。
【００５２】
以上説明した本実施形態によるコンビネーションメータ１の電気回路構成について、図５に基づいて説明する。
【００５３】
マイクロコンピュータ等から構成される制御装置１３には、バッテリ１７から電力が常時供給され、イグニッションスイッチ１６がその操作ポジション（オフポジション、オンポジション）を検出可能に接続され、当該自動車の走行速度を検出する車速センサ１４や図示しないセンサやスイッチ等がそれらの信号を入力可能に接続される。
【００５４】
また、制御装置１３には、ライトコントロールスイッチ１５がその操作ポジション（オフポジション、スモールランプポジション、ヘッドランプポジション）を検出可能に接続される。オフポジションでは、車幅灯と尾灯と前照灯が全て消灯し、スモールランプポジションでは、車幅灯と尾灯のみ点灯し、オンポジションでは、車幅灯と尾灯と前照灯が全て点灯する。
【００５５】
また、車速センサ１４からの検出信号に応じて制御装置１３によって駆動されるムーブメント５、発光ダイオード６，７も、制御装置１３に接続される。
【００５６】
（作動）
上述したように構成された、本発明の一実施形態によるコンビネーションメータ１の作動について説明する。
【００５７】
イグニッションスイッチ１６がオンされると、図５において、制御装置１３は、それを検出して作動を開始する。即ち、速度センサ１４からの出力信号に基づき、当該自動車の車速を算出し、これに対応した角度だけシャフト５１を回動させるように、ムーブメント５を駆動する。
【００５８】
昼間等の当該自動車の周囲が明るい時は、ライトコントロールスイッチ１５は、オフポジションに操作されて、車幅灯と尾灯と前照灯が全て消灯されている。このオフポジションで、制御装置１２は、発光ダイオード６，７を消灯させている。
【００５９】
一方、夕暮時等の当該自動車の周囲が薄暗い時は、ライトコントロールスイッチ１５は、スモールランプポジションに操作されて、車幅灯と尾灯のみ点灯される。夜間等の当該自動車の周囲が暗い時は、ライトコントロールスイッチ１５は、ヘッドランプポジションに操作されて、車幅灯と尾灯と前照灯が全て点灯される。
【００６０】
これらのスモールランプポジションとヘッドランプポジションで、制御装置１３は、発光ダイオード６，７を点灯させる。
【００６１】
尚、イグニッションスイッチ１６がオンされると、発光ダイオード６，７を点灯させる様にする自発光メータとしても良いが、スモールランプポジッションとヘッドランプポジッションで、これらの各発光ダイオードを点灯させる場合について以下に説明する。
【００６２】
以下、ライトコントロールスイッチ１５の各操作ポジションに対し、文字盤２と加飾部３と指針４の視認状態について説明する。
【００６３】
（１）オフポジション
太陽光等の白色光によって、文字盤２の文字２１と目盛２２が白色で表示され、その背景層２３が青色で表示される。指針４は、赤色で表示され、加飾部３の透光層３１は、背景層２３の青色と異なる銀色（メタリック調）で表示される。
【００６４】
これにより、図１において、文字盤２の背景層２３が青色で表示され、その青色の中に文字２１と目盛２２が白色で表示され、指針４が赤色で表示される。この青色の背景層２３の外枠を形成する加飾部３は、不透光層３２ａとダミー不透光層３２ａが目視されること無く、かつ背景層２３と表示色が異なる銀色で表示される。このため、加飾部３は、加飾機能が損なわれないで文字盤２と指針４とを加飾することができる。
【００６５】
（２）スモールランプポジションとヘッドランプポジション
点灯された発光ダイオード６の白色光は、リフレクタ８によって、指針４へ導かれ、指針４を赤色で発光表示させる。
【００６６】
点灯された発光ダイオード７の白色光は、リフレクタ８によって文字盤２へ導かれ、その文字２１と目盛２２を透過照明し、これらを白色で発光表示させる。
【００６７】
また、発光ダイオード７の白色光は、リフレクタ８によって、加飾部３へ導かれこれを透過照明する。具体的に、図３において、発光ダイオード７の白色光は、矢印Ｐ１の光路に従って開口部２４部内の文字盤母材２０と加飾母材３０と透光層３１を透過して、透光層３１を橙色で発光表示させる。
【００６８】
また、発光ダイオード７の白色光は、矢印Ｐ２の光路に従って開口部２４部内の文字盤母材２０と加飾母材３０を透過するが、不透光層３２によって遮られる。
【００６９】
ここで、上述したように、従来技術では、引っ掛け爪３３（固定面３０ａ）からの光をその前面側（図３の矢印が示す上側）で遮る不透光層３２を形成していない。このため、矢印Ｐ２の光路の光も、透光層３１を透過するが、引っ掛け爪３３がこの光の透過を妨げて影となる。この影が、加飾部３による発光表示の品位を損なう恐れがある。
【００７０】
即ち、この影は、完全な黒色（暗い状態）ではなく、若干の光漏れがあるため、中途半端な表示となり、加飾部３による発光表示の品位を損なう恐れがある。
【００７１】
この問題は、引っ掛け爪３３に限らず、加飾部３を文字盤２に対して、ねじ締めや超音波溶着等で固定する場合にも共通する問題である。
【００７２】
これに対して、本発明では、この影となる部分が生じないように、この部分へ光が導かれないように不透光層３２を設ける。これにより、この影となる部分は、完全に（くっきりとした）黒色（暗い状態）となり、加飾部３による発光表示の品位を損なうことがない。
【００７３】
この結果、図１において、特に夜間等で、黒色（暗い状態）の背景層２３の中に文字２１と目盛２２が白色で発光表示され、指針４が赤色で発光表示される。この黒色の背景層２３の外枠を形成する加飾部３の内、破線で示す不透光層３２とダミー不透光層３２ａを除いた領域が、橙色で発光表示されて、文字盤２の文字２１と目盛２２と指針４とを加飾することができる。
【００７４】
さらには、橙色で発光表示されないで完全な（くっきりとした）黒色（暗い状態）の不透光層３２とダミー不透光層３２ａが、目盛２２の機能を補完するため、視認性の向上も期待できる。
【００７５】
以上説明した本発明の一実施形態による指針計器であるコンビネーションメータ１では、表示意匠である文字２１と目盛２２の外枠を形成する加飾部３と、加飾部３を透過照明する光源である発光ダイオード７とを備え、加飾部３が加飾部３を文字２１と目盛２２の外周に固定させる固定部である固定面３０ａと、固定面３０ａからの光をその前面側で遮るように配設された不透光部である不透光層３２とを備える。
【００７６】
これにより、引っ掛け爪３３（ねじ締め部や超音波溶着部等を含む）により影が発生する部分へ光が導かれないようにして影の発生をなくす。この結果、加飾部３の発光表示の品位は、引っ掛け爪３３により生じる影により損なわれることがない。
（変形例）
図６は、図３の変形例を示す拡大断面図である。
【００７７】
本変形例では、上述した実施形態と異なり、図６に示すように、不透光層３２の代わりに、不透光部である不透光母材３０ｂを設ける。具体的には、加飾母材３０を、透光性材料と不透光性材料の２種類の異質材料から、一体的に成型（いわゆる２色成型）するものである。この不透光性材料から形成された部分が、不透光母材３０ｂとなり、引っ掛け爪３３は、不透光母材３０ｂの一部として形成される。
【００７８】
これにより上述した効果が得られる。
【００７９】
尚、透光層３１は、上述した実施形態と異なり、例えば透光性樹脂に所定の粒径や形状を有する所定量のアルミ粉末を混入させた材料を塗布等して形成してもよい。
【００８０】
上述した場合では、オフポジションに加飾部３が銀色で表示されるように構成したが、これに限る必要はない。即ち、透光層３１を、マジックミラー（ハーフミラー層）としたが、これに限る必要はない。例えば、不透光層３２を、光を透過しない青色で形成し、透光層３１を、無色透明よりも低い光透過性を有するが透光性を有する青色で形成する。
【００８１】
この場合、文字盤２の背景層２３を、加飾部３の青色と異なる例えば灰色とする。また、発光ダイオード７からの白色光を受けて、透光層３１が青色で発光表示されるように構成する。
【００８２】
この場合、オフポジションでは、図１において、文字盤２の背景層２３が灰色で表示され、その灰色の中に文字２１と目盛２２が白色で表示され、指針４が赤色で表示される。この灰色の背景層２３の外枠を形成する加飾部３が、不透光層３２ａとダミー不透光層３２ａが目視されること無く、かつ背景層２３と表示色が異なる青色で表示される。このため、加飾部３は、加飾機能が損なわれないで文字盤２と指針４とを加飾することができる。
【００８３】
一方、スモールランプポジションとヘッドランプポジションでは、特に夜間等で、図１において、黒色の背景層２３の中に文字２１と目盛２２が白色で発光表示され、指針４が赤色で発光表示される。この黒色の背景層２３の外枠を形成する加飾部３の内、破線で示す不透光層３２とダミー不透光層３２ａを除いた領域が、青色で発光表示される。これにより、加飾部３は、その発光表示の品位を損なわないで、文字盤２の文字２１と目盛２２と指針４とを加飾することができる。
【００８４】
不透光層３２や不透光母材３０ｂの形状は、上述の形状に限るものではない。引っ掛け爪３３（固定面３０ａ）からの光をその前面側（図３の矢印が示す上側）で遮る形状であるならば何でも良く、例えば加飾部３に沿ったリング形状でも、加飾部３に沿って形成された模様であってもよい。
【００８５】
また、加飾部３は、リング状に形成される必要はなく、多角形やその他の形状であってもよい。
【００８６】
図７は、図１の変形例を示す正面図である。
【００８７】
図８は、図７中のＶＩＩＩ−ＶＩＩＩ断面図である。
【００８８】
本変形例では、上述した実施形態や変形例等と異なり、図７と図８に示すように、加飾部３は、文字盤２と意匠板１１の両方に対して固定される。尚、図示しないが、加飾部３は、意匠板１１に対して固定されるようにしてもよい。これらの場合でも、上述した効果が得られる。
【００８９】
また、指針計器として速度計を形成しているが、これらに限る必要は無く、他の計器、例えば回転計等と置き換える、あるいは追加しても良い。
【図面の簡単な説明】
【００９０】
【図１】図１は、本発明の一実施形態による指針計器であるコンビネーションメータ１の正面図である。
【図２】図２は、図１中のＩＩ−ＩＩ断面図である。
【図３】図３は、図２示す加飾部３とその近傍の拡大断面図である。
【図４】図４は、図１示す加飾部３の裏面図である。
【図５】図５は、本発明の一実施形態によるコンビネーションメータ１の電気回路構成を説明する回路構成図である。
【図６】図６は、図３の変形例を示す拡大断面図である。
【図７】図７は、図１の変形例を示す正面図である。
【図８】図８は、図７中のＶＩＩＩ−ＶＩＩＩ断面図である。
【符号の説明】
【００９１】
１    コンビネーションメータ（指針計器）
２    文字盤
２０    文字盤母材
２１    文字（表示意匠）
２２    目盛（表示意匠）
２３    背景層（背景部）
２４    開口部（透光部）
２５    引っ掛け穴（掛止手段）
２６    貫通孔
３    加飾部
３０    加飾母材
３０ａ    固定面（固定部）
３０ｂ    不透光母材（不透光部）
３１    透光層（加飾表示層、ハーフミラー層）
３２    不透光層（不透光部）
３２ａ    ダミー不透光層
３３    引っ掛け爪（掛止手段）
４    指針
４１    遮光キャップ
５    ムーブメント
５１    シャフト
６    発光ダイオード
７    発光ダイオード（光源）
８    リフレクタ
９    プリント基板
１０    フロントカバー（透光性フロントカバー）
１１    意匠板
１２    ケース
１３    制御装置
１４    車速センサ
１５    ライトコントロールスイッチ
１６    イグニッションスイッチ
１７    バッテリ
【図１】
2006226729.tif 000003
【図２】
2006226729.tif 000004
【図３】
2006226729.tif 000005
【図４】
2006226729.tif 000006
【図５】
2006226729.tif 000007
【図６】
2006226729.tif 000008
【図７】
2006226729.tif 000009
【図８】
2006226729.tif 000010